(57)【要約】      （修正有）【課題】取り付け作業が簡単で、かつ壊れにくいコネクタカバーに係わる構造を提供する。【解決手段】フロントケース３と、リアケースと、外部接続コネクタ部を閉塞するコネクタカバー５から成る構造であって、フロントケース３またはリアケースの前記外部接続コネクタ部の近傍にネジ穴を有する円筒状のネジボス３０を設け、リアケースまたはフロントケース３のネジボス３０と対向する部位に係止穴を設け、前記コネクタカバーの端部に前記ネジボスと略同心円でかつ前記ネジボスの外径よりも大きい内径を有する前記ネジボスに装入するための円筒状の部位を設ける。【選択図】図６
0003159453.tif 000002
【実用新案登録請求の範囲】
【請求項１】
外部接続コネクタ部を備える端末機器のフロントケースと、前記端末機器のリアケースと、前記外部接続コネクタ部を閉塞するコネクタカバーから成る構造であって、
前記フロントケースまたはリアケースの前記外部接続コネクタ部の近傍にネジ穴を有する円筒状のネジボスを設け、
前記リアケースまたはフロントケースの前記ネジボスと対向する部位に係止穴を設け、
前記コネクタカバーの端部に前記ネジボスと略同心円でかつ前記ネジボスの外径よりも大きい内径を有する前記ネジボスに装入するための円筒状の部位を設けることを特徴とするコネクタカバーの取り付け構造。
【考案の詳細な説明】
【技術分野】
【０００１】
本考案は、端末機器のコネクタカバーの取り付け構造に関する。
【背景技術】
【０００２】
携帯電話機に代表される近年の端末機器は、大容量のデータの授受や充電などのために、外部機器との接続が不可欠となっている。端末機器における外部接続コネクタは通常外面に露出しており、外部機器が接続されていない状態では外部接続コネクタの開口部に埃や塵などが侵入したり、外力による損傷を被る恐れがある。これを防ぐため、外部接続コネクタを閉塞するコネクタカバーを装着するのが一般的である（例えば、特許文献１）。コネクタカバーは、外部接続コネクタの使用に応じて開閉自在で、かつ端末機器から外れて紛失しないように、常に端末機器に連結している構造が望ましい。しかしながら、従来の構造では、コネクタカバーの取り付けに係る部品および構造が複雑なため、取り付け作業が面倒であると共に、小型・軽量薄型化に適さないという欠点があった。
【先行技術文献】
【特許文献】
【０００３】
【特許文献１】特開２００７−３１８６８２号公報
【考案の概要】
【考案が解決しようとする課題】
【０００４】
そこで、本考案は単純な部品構成かつ簡単な作業で取り付け可能で、しかも壊れにくいコネクタカバーの取り付け構造を実現することにある。
【課題を解決するための手段】
【０００５】
上述した目的を達成するために、本考案は、外部接続コネクタ部を備える端末機器のフロントケースと、前記端末機器のリアケースと、前記外部接続コネクタ部を閉塞するコネクタカバーから成る構造であって、前記フロントケースまたはリアケースの前記外部接続コネクタ部の近傍にネジ穴を有する円筒状のネジボスを設け、前記リアケースまたはフロントケースの前記ネジボスと対向する部位に係止穴を設け、前記コネクタカバーの端部に前記ネジボスと略同心円でかつ前記ネジボスの外径よりも大きい内径を有する前記ネジボスに装入するための円筒状の部位を設けることを特徴とする。
【考案の効果】
【０００６】
本考案によれば、端末機器に装着されるコネクタカバーが容易に取り付けられ、かつ壊れにくく、十分な引き抜き強度を有するコネクタカバーの取り付け構造を実現できる。
【図面の簡単な説明】
【０００７】
【図１】本考案の実施形態における携帯電話機の斜視図
【図２】コネクタカバーを取り付けるフロントケースの拡大図
【図３】コネクタカバーを取り付けるリアケースの拡大図
【図４】コネクタカバーの側面図
【図５】コネクタカバーの側面図
【図６】コネクタカバーをネジボスに装入した状態の拡大図
【考案を実施するための形態】
【０００８】
以下、端末機器として携帯電話機を例に、本考案の実施形態について図面を用いて説明する。
【０００９】
図１は、本考案を携帯電話機１に適用した実施形態における斜視図であり、外部接続コネクタ部２を備える携帯電話機のフロントケース３と、携帯電話機のリアケース４と、外部接続コネクタ部２を閉塞するコネクタカバー５から成る構造を示している。
【００１０】
図２は、コネクタカバー５の取り付け構造を説明するためのフロントケース３の拡大図である。
フロントケース３の外部接続コネクタ部２の近傍にネジ穴を有する円筒状のネジボス３０を設け、外部接続コネクタ部２の近傍に外部接続コネクタ部２を閉塞した際にコネクタカバー５を当接するための突起３１を設け、ネジボス３０の外周面に後述する円筒状の部位５０の内周面を点接触で圧接するための半球状の突起３２を設ける。
【００１１】
図３は、コネクタカバー５の取り付け構造を説明するためのリアケース４の拡大図である。
リアケース４のネジボス３０と対向する部位に係止穴４０を設け、係止穴４０の内面に係止穴４０と略同心円でかつ係止穴４０の直径よりも大きい内径を有する環状突起４１を設ける。なお、この構造は、コネクタカバー５が引っ張られて外れることを防止するためである。
【００１２】
図４および図５にコネクタカバー５の取り付け構造を説明するためのコネクタカバー５の側面図を示す。
コネクタカバー５の端部にネジボス３０と略同心円でかつネジボス３０の外径よりも大きい内径を有するネジボス３０に装入するための円筒状の部位５０を設け、円筒状の部位５０の内周面に外部接続コネクタ部２を開放した際にコネクタカバー５をロックするための半球状の突起５１を設け、突起５１の後方に弾性変形可能にするための空洞部５２を設ける。
さらに、図４に示すリアケース４に近接する第１の側面５３と図５に示すフロントケース３に近接する第２の側面５４にコネクタカバー５を閉じた際に挟入するための突起５５を各々設ける。
【００１３】
図６は、コネクタカバー５を開閉自在にネジボス３０に装入した状態の拡大図であり、コネクタカバー５をネジボス３０を軸としてA方向に回転させ、外部接続コネクタ部２が開いた状態を示している。
回転運動の際に、突起５１は突起３３に摺接し弾性変形しながら乗り越える。なお、突起３３は円筒状の部位５０の内周面を点接触で圧接している。
コネクタカバー５をネジボス３０を軸としてＢ方向に回転させ外部接続コネクタ部２を閉じる場合も同様である。
以上説明した通り、本考案によれば、端末機器に装着されるコネクタカバーが容易に取り付けられ、かつ壊れにくく、十分な引き抜き強度を有するコネクタカバーの取り付け構造を実現できる。
なお、実施形態においては、端末機器として携帯電話機を例に説明したが、本考案の構造は、端末機器一般に適用可能であり、携帯電話機以外に、特に携帯音楽プレーヤーや携帯パソコン等、小型軽量性が求められる携帯端末に適している。
【符号の説明】
【００１４】
１…携帯電話機、２…外部接続コネクタ部、３…フロントケース、４…リアケース、５…コネクタカバー、３０…ネジボス、３１…突起、３２…突起、４０…係止穴、４１…環状突起、５０…円筒状の部位、５１…突起、５２…空洞部、５３…第１の側面、５４…第２の側面、５５…突起
【図１】
0003159453.tif 000003
【図２】
0003159453.tif 000004
【図３】
0003159453.tif 000005
【図４】
0003159453.tif 000006
【図５】
0003159453.tif 000007
【図６】
0003159453.tif 000008
【手続補正書】
【提出日】平成22年3月30日(2010.3.30)
【手続補正１】
【補正対象書類名】明細書
【補正対象項目名】００１３
【補正方法】変更
【補正の内容】
【００１３】
図６は、コネクタカバー５を開閉自在にネジボス３０に装入した状態の拡大図であり、コネクタカバー５をネジボス３０を軸としてA方向に回転させ、外部接続コネクタ部２が開いた状態を示している。
回転運動の際に、突起５１は突起３２に摺接し弾性変形しながら乗り越える。なお、突起３２は円筒状の部位５０の内周面を点接触で圧接している。
コネクタカバー５をネジボス３０を軸としてＢ方向に回転させ外部接続コネクタ部２を閉じる場合も同様である。
以上説明した通り、本考案によれば、端末機器に装着されるコネクタカバーが容易に取り付けられ、かつ壊れにくく、十分な引き抜き強度を有するコネクタカバーの取り付け構造を実現できる。
なお、実施形態においては、端末機器として携帯電話機を例に説明したが、本考案の構造は、端末機器一般に適用可能であり、携帯電話機以外に、特に携帯音楽プレーヤーや携帯パソコン等、小型軽量性が求められる携帯端末に適している。
【手続補正２】
【補正対象書類名】図面
【補正対象項目名】図６
【補正方法】変更
【補正の内容】
【図６】
0003159453.tif 000009